(57)【特許請求の範囲】
【請求項１】
前後を横隔壁によって区画形成され且つ該前後の横隔壁の間に２列にわたってコンテナを積載するように上記横隔壁と船倉中央部に相対してセルガイドが設置してあるコンテナ船における上記船倉中央部のセルガイドを、該船倉中央部に左右方向に水平に配して両端を船倉両側壁に固定した梁部材に固定支持させ、且つ上記固定の梁部材と横隔壁とをタイバーで連結して上記船倉中央部のセルガイドに作用する前後方向の圧縮及び引張り荷重をタイバーを介して横隔壁に伝えるようにするコンテナ船のセルガイド支持装置において、上記船倉両側壁に両端を固定した梁部材を、水平部の前後両端に垂直部を有する縦断面形状Ｈ型の梁部材として、該梁部材の前後の垂直部の外側面に沿わせて上記船倉中央部のセルガイドを鉛直に設置するようにし、且つ一端を横隔壁に連結したタイバーの他端に、上記梁部材の片側の垂直部と水平部を挿通させる垂直と水平の切欠部を有する係止用頭部を設け、該係止用頭部の水平と垂直の切欠部を梁部材の水平部と垂直部に嵌めて梁部材を介し船倉中央部のセルガイドを支持させるようにし、上記係止用頭部の垂直の切欠部を前後方向に広幅とした構成を有することを特徴とするコンテナ船のセルガイド支持装置。
【請求項２】
タイバーの他端に設けた係止用頭部の水平の切欠部端面にスライド板を取り付け、該スライド板が梁部材の水平部に沿い前後方向にスライドできるようにした請求項１記載のコンテナ船のセルガイド支持装置。
【発明の詳細な説明】
【０００１】
【発明の属する技術分野】
本発明はコンテナを積載して輸送するコンテナ船の船倉内において、前後２列にコンテナを積載するために船倉中央部に設けられたセルガイドがコンテナより受ける船の前後方向に沿った荷重を船倉前後の横隔壁によって支持させるためのコンテナ船のセルガイド支持装置に関するものである。
【０００２】
【従来の技術】
前後を横隔壁により区画されたコンテナ船の船倉内にコンテナを積載する場合、コンテナの平面サイズに対応してコンテナの四隅をガイドするセルガイドを船体の幅方向に複数組設置して、該セルガイドにコンテナの四隅を沿わせて落とし込み、積み重ねて積載するようにしている。
【０００３】
ところで、同一船倉内に前後２列にわたってコンテナを積載する場合には、横隔壁に設置したセルガイドと対となるセルガイドを船倉中央部に設置することとなるが、船の動揺によりコンテナより該船倉中央部のセルガイドに対してかかる船体前後方向の荷重は、船倉内底面から鉛直に設けた上記船倉中央部のセルガイドのみでは支持することができないので、かかる荷重を前後の横隔壁によって支持させることが必要とされている。
【０００４】
そのため、従来は図３（イ）（ロ）（ハ）に一例を示す如く、船倉２の中央部に、両端を船倉２の両側壁に固定して船体の横方向へ配した水平に延びる梁部材３を多段に設置して、該梁部材３にて船倉２内を船体前後方向に区切り、且つ該梁部材３に、横隔壁４のセルガイド７ａに対応させてセルガイド７ｂを固定し、該中央部のセルガイド７ｂと横隔壁４のセルガイド７ａとの間にコンテナ１を積むようにした構成において、前後の横隔壁４側のセルガイド７ａ間に配したディスタンスピース６と中央部の梁部材３側のセルガイド７ｂ間に配したディスタンスピース６ａとにタイバー５の両端を取り付けて、中央部分のセルガイド７ｂが固定してある上記梁部材３を横隔壁４にタイバー５を介して支持させるようにし、船の動揺でコンテナ１が前後方向に動いてセルガイド７ｂを介して梁部材３に作用する荷重をタイバー５で支持して、該タイバー５に作用する圧縮及び引張り荷重をすべて横隔壁４に伝えるようにした構成のものが採用されていた。
【０００５】
【発明が解決しようとする課題】
ところが、上記従来の船倉内中央部のセルガイドの支持装置は、横隔壁４側のディスタンスピース６に一端を取り付けたタイバー５の他端を、梁部材３にディスタンスピース６ａを介して取り付けて、該タイバー５により堅固に横隔壁４に梁部材３をつなぐようにした構成であるため、コンテナ１より船体前後方向の荷重がセルガイド７ｂにかかる際、タイバー５には圧縮及び引張りの荷重がともに作用することとなり、両荷重のうち、特に、圧縮荷重に耐えるようにするためには、タイバー５は大きく且つ重量の嵩むものとせざるを得ず、又、本数も多くしなければならないことになり、更に、タイバー５が大きい圧縮荷重を受けると、タイバー５自体が図４に二点鎖線で示す如くたわむような変形が生じて側方のコンテナ１と干渉することになり、かかる干渉を避けるために横方向に隣接して積層されるコンテナ１の間隔を広く取らなければならない、等の問題がある。
【０００６】
そこで、本発明は、タイバーを小さく軽量なものとし、更に、該タイバーの設置本数を増やすことなく、更に、隣接するコンテナの間隔を広くとる必要がないようにして船倉内の中央部のセルガイドを支持するようにしたコンテナ船のセルガイド支持装置を提供しようとするものである。
【０００７】
【課題を解決するための手段】
本発明は、上記課題を解決するために、前後を横隔壁によって区画形成され且つ該前後の横隔壁の間に２列にわたってコンテナを積載するように上記横隔壁と船倉中央部に相対してセルガイドが設置してあるコンテナ船における上記船倉中央部のセルガイドを、該船倉中央部に左右方向に水平に配して両端を船倉両側壁に固定した梁部材に固定支持させ、且つ上記固定の梁部材と横隔壁とをタイバーで連結して上記船倉中央部のセルガイドに作用する前後方向の圧縮及び引張り荷重をタイバーを介して横隔壁に伝えるようにするコンテナ船のセルガイド支持装置において、上記船倉両側壁に両端を固定した梁部材を、水平部の前後両端に垂直部を有する縦断面形状Ｈ型の梁部材として、該梁部材の前後の垂直部の外側面に沿わせて上記船倉中央部のセルガイドを鉛直に設置するようにし、且つ一端を横隔壁に連結したタイバーの他端に、上記梁部材の片側の垂直部と水平部を挿通させる垂直と水平の切欠部を有する係止用頭部を設け、該係止用頭部の水平と垂直の切欠部を梁部材の水平部と垂直部に嵌めて梁部材を介し船倉中央部のセルガイドを支持させるようにし、上記係止用頭部の垂直の切欠部を前後方向に広幅とした構成とする。
【０００８】
コンテナよりセルガイドを介して梁部材に船体前後方向の荷重がかかる場合、タイバーを引張る方向の荷重は係止用頭部の垂直な切欠部と梁部材の垂直部との係止によりタイバーが梁部材に固定されるので、タイバーを介して横隔壁に伝えられるが、タイバーを圧縮する方向の荷重は、係止用頭部の垂直の切欠部が前後方向に広くしてあり且つ係止用頭部の水平の切欠部が梁部材の水平部をスライドするので、梁部材の垂直部と係止することなく係止用頭部が移動できて、タイバーに圧縮方向の荷重は作用しなくなる。
【０００９】
又、タイバーの他端に設けた係止用頭部の水平の切欠部端面にスライド板を取り付け、該スライド板が梁部材の水平部に沿い前後方向にスライドできるようにすることにより、タイバーを圧縮する方向の荷重が作用するときにもタイバーが圧縮荷重で変形することがない。
【００１０】
【発明の実施の形態】
以下、本発明の実施の形態を図面を参照して説明する。
【００１１】
図１（イ）（ロ）及び図２は本発明の実施の一形態を示すもので、図３に示したように、船倉２内の中央部に、該船倉２の両側壁より左右方向へ水平に梁部材３を配設して、該梁部材３に横隔壁４側のセルガイド７ａに対応させてセルガイド７ｂを固定し、更に、横隔壁４に梁部材３をタイバー５を介して支持するようにしてある構成において、梁部材３に代えて、水平部８ａの前後両端に垂直部８ｂを有する断面形状Ｈ型の梁部材８を、垂直部８ｂが前後になるようにして水平状態に配設し、該梁部材８の前後の垂直部８ｂの外側面に沿わせてセルガイド７ｂを鉛直に設置して、該セルガイド７ｂと横隔壁４側のセルガイド７ａとでコンテナ１をガイドして積層できるようにし、更に、一端を横隔壁４に固定させたタイバー９の他端（先端）に、上記梁部材８の片側の垂直部８ｂと水平部８ａを挿通させるよう水平の切欠部１０ａと垂直の切欠部１０ｂからなるＴ字状の切欠１０を形成した係止用頭部９ａを備え、該タイバー９の係止用頭部９ａの切欠１０を梁部材８の水平部８ａと垂直部８ｂに嵌めて梁部材８を介しセルガイド７ｂを支持させるようにする。上記係止用頭部９ａの切欠部１０ａには、上下の端面に平面略三角形状のスライド板１１を取り付けて、上下のスライド板１１で梁部材８の水平部８ａを前後方向にスライドできるように挟持させるようにすると共に、切欠部１０ｂを前後方向に広幅として、係止用頭部９ａと梁部材８とが前後方向に相対変位できるようにし、又、上記切欠部１０ｂの前側面１２が梁部材８の垂直部８ｂの内側面１３に係止してタイバー９が引張り荷重を受けるようにする。
【００１２】
又、梁部材８の水平部８ａ上面には、スライド板１１との接触部の摩耗を少なくするために、耐摩耗性に優れた材料からなる板、たとえばステンレス板１４を設けるようにする。
【００１３】
船体の動揺によりコンテナ１が前後方向へ移動すると、そのときの荷重がセルガイド７ｂを介して梁部材８に作用する。この際、タイバー９を引張る方向の荷重が作用するときは、係止用頭部９ａの切欠部１０ｂの前側面１２が梁部材８の垂直部８ｂの内側面１３に当接して係止した図１（ロ）に示すような状態となるが、タイバー９を圧縮する方向の荷重が作用するときは、梁部材８の垂直部８ｂが係止用頭部９ａの切欠部１０ｂ内を前後方向に移動できると共に、切欠部１０ａのスライド板１１が梁部材８の水平部８ａに沿い前後方向にスライドできるので、タイバー９に作用することがなく、したがって、圧縮荷重によりタイバー９を変形させるようなことがなくなる。
【００１４】
本発明においては、前後の横隔壁４より船倉中央へ向けて突設させた各タイバー９先端の係止用頭部９ａの切欠部１０ｂが梁部材８の垂直部８ｂにタイバー９の軸方向に相対変位できるように嵌めてあるので、梁部材８に対するコンテナ１からの荷重は、前後方向の２つのタイバー９のうち、１つのタイバー９に圧縮荷重が作用するときは他方のタイバー９には常に引張り荷重が作用しているようになることから、タイバー９は引張り荷重に対してのみ耐える部材とすることができ、これにより、細くて軽量な部材とすることができると共に設置本数を増やす必要がなくなり、又、梁部材８の変位で圧縮荷重が作用するときはタイバー９先端の係止用頭部９ａが梁部材８に対してスライドできることから、タイバー９がたわむように変形することがなくて、コンテナ１と干渉することがなくなり、コンテナ１間の隙間を広くする必要がなく、タイバー９とコンテナ１の間隔を狭いものとすることができる。
【００１５】
又、梁部材８の断面をＨ型とすることにより梁部材８にはＨ型鋼をそのまま使用できると共に、梁部材８の上下に突出した垂直部８ｂをタイバー９先端の係止用頭部９ａの横向きＴ字状の切欠１０の垂直な切欠部１０ｂに係止させるので、荷重がかかる際に係止用頭部９ａと梁部材８とが外れる虞がない。
【００１６】
【発明の効果】
以上述べた如く、本発明のコンテナ船のセルガイド支持装置によれば、前後を横隔壁によって区画形成され且つ該前後の横隔壁の間に２列にわたってコンテナを積載するように上記横隔壁と船倉中央部に相対してセルガイドが設置してあるコンテナ船における上記船倉中央部のセルガイドを、該船倉中央部に左右方向に水平に配して両端を船倉両側壁に固定した梁部材に固定支持させ、且つ上記固定の梁部材と横隔壁とをタイバーで連結して上記船倉中央部のセルガイドに作用する前後方向の圧縮及び引張り荷重をタイバーを介して横隔壁に伝えるようにするコンテナ船のセルガイド支持装置において、上記船倉両側壁に両端を固定した梁部材を、水平部の前後両端に垂直部を有する縦断面形状Ｈ型の梁部材として、該梁部材の前後の垂直部の外側面に沿わせて上記船倉中央部のセルガイドを鉛直に設置するようにし、且つ一端を横隔壁に連結したタイバーの他端に、上記梁部材の片側の垂直部と水平部を挿通させる垂直と水平の切欠部を有する係止用頭部を設け、該係止用頭部の水平と垂直の切欠部を梁部材の水平部と垂直部に嵌めて梁部材を介し船倉中央部のセルガイドを支持させるようにし、上記係止用頭部の垂直の切欠部を前後方向に広幅とした構成としてあるので、コンテナよりセルガイドを介して梁部材に船体前後方向の荷重がかかる際、タイバーを引張る方向の荷重に対しては梁部材の垂直部とタイバー先端の係止用頭部の垂直の切欠部との係止によりタイバーで受けるようになる。タイバーを圧縮する方向の荷重に対しては、梁部材の垂直部がタイバー先端の係止用頭部の垂直の切欠部内で変位できると共に水平の切欠部端面に取り付けたスライド板が梁部材の水平部に沿いスライドできるようになることから、圧縮荷重がタイバーに伝わることがない。これにより、タイバーは引張り荷重のみに耐える部材とすることができて、支持材としてのタイバーを軽量化できると共に設置本数を減らすことができ、更にタイバーがたわむように変形することがないため、タイバーを挟んで隣接するコンテナの間隔を狭いものとすることができる等の優れた効果を発揮する。
【図面の簡単な説明】
【図１】本発明のコンテナ船のセルガイド支持装置の実施の一形態を示すもので、（イ）は全体を示す概略平面図、（ロ）は（イ）のＣ−Ｃ拡大矢視図である。
【図２】図１（イ）のＤ部の拡大図である。
【図３】従来のコンテナ船のセルガイドの支持装置の一例を示すもので、（イ）は全体を示す概略平面図、（ロ）は（イ）のＡ−Ａ矢視図、（ハ）は（イ）のＢ部の拡大図である。
【図４】従来のタイバーに圧縮方向の荷重が作用したときの状態を示す概略平面図である。
【符号の説明】
１  コンテナ
２  船倉
４  横隔壁
７ａ，７ｂ  セルガイド
８  梁部材
８ａ  水平部
８ｂ  垂直部
９  タイバー
９ａ  係止用頭部
１０  切欠
１０ａ，１０ｂ  切欠部
１１  スライド板
１４  ステンレス板（耐摩耗性に優れた材料の板）
【図１】
0004013169.tif 000002
【図２】
0004013169.tif 000003
【図３】
0004013169.tif 000004
【図４】
0004013169.tif 000005